(57)【要約】【課題】画像編集の結果、走査画像と確認用画像とに相違点が生じたことを確認する。【解決手段】画像処理システム１は、光学的走査により取得した走査画像に基づいて、操作パネル２０に表示させる確認用画像を生成し、確認用画像を操作パネル２０に表示した状態で、画像編集を指示する操作情報を受け付け、受け付けた操作情報に基づいて、確認用画像を編集すると共に、走査画像を編集し、編集された確認用画像と走査画像とを比較した比較結果を操作パネル２０に表示させる。【選択図】図１
2011193376.tif 000002
【特許請求の範囲】
【請求項１】
光学的走査により取得した走査画像に基づいて、表示手段に表示させる確認用画像を生成する生成手段と、
前記確認用画像を前記表示手段に表示した状態で、画像編集を指示する操作情報を受け付ける手段と、
前記受け付けた操作情報に基づいて、前記確認用画像を編集する第１の画像編集手段と、
前記受け付けた操作情報に基づいて、前記走査画像を編集する第２の画像編集手段と、
前記第１の画像編集手段により編集された前記確認用画像と、前記第２の画像編集手段により編集された前記走査画像とを比較する比較手段と、
前記比較手段による比較結果を前記表示手段に表示させる手段と、を含む
ことを特徴とする画像処理システム。
【請求項２】
前記確認用画像を編集する画像編集命令に対応する、前記走査画像を編集する画像編集命令を特定する特定手段をさらに含み、
前記第２の画像編集手段は、前記特定手段により特定された画像編集命令に基づいて前記走査画像を編集する
ことを特徴とする請求項１に記載の画像処理システム。
【請求項３】
前記比較手段による比較の結果、前記確認用画像と前記走査画像とに相違点が検出されたもののうち選択された画像についての再編集を実行する
ことを特徴とする請求項１又は２に記載の画像処理システム。
【請求項４】
前記比較手段による比較の結果、前記確認用画像と前記走査画像とに相違点が検出されたもののうち選択された画像について記録媒体上に画像形成する画像形成手段をさらに含む
ことを特徴とする請求項１乃至３のいずれかに記載の画像処理システム。
【請求項５】
光学的走査により取得した走査画像に基づいて、表示手段に表示させる確認用画像を生成する生成手段と、
前記確認用画像を前記表示手段に表示した状態で、画像編集を指示する操作情報を受け付ける手段と、
前記受け付けた操作情報に基づいて編集された前記確認用画像と、前記受け付けた操作情報に基づいて編集された前記走査画像とを比較した比較結果を前記表示手段に表示させる手段と、を含む
ことを特徴とする画像処理装置。
【請求項６】
コンピュータを、
光学的走査により取得した走査画像に基づいて、表示手段に表示させる確認用画像を生成する生成手段と、
前記確認用画像を前記表示手段に表示した状態で、画像編集を指示する操作情報を受け付ける手段と、
前記受け付けた操作情報に基づいて編集された前記確認用画像と、前記受け付けた操作情報に基づいて編集された前記走査画像とを比較した比較結果を前記表示手段に表示させる手段として機能させるためのプログラム。
【発明の詳細な説明】
【技術分野】
【０００１】
本発明は、画像処理システム、画像処理装置及びプログラムに関する。
【背景技術】
【０００２】
紙文書をスキャンして電子化し管理することが行われている。例えば、下記の特許文献１では、スキャンにより得た走査画像（スキャン画像）に基づく確認用画像（プレビュー画像）を表示装置に表示して、走査画像の態様をユーザーが確認できるようにしている。
【先行技術文献】
【特許文献】
【０００３】
【特許文献１】特開平７−９９５５５号公報
【発明の概要】
【発明が解決しようとする課題】
【０００４】
ユーザーが確認用画像を参照しながら画像編集を指示する場合には、表示されている確認用画像への画像編集と、元の走査画像への画像編集が並行して行われるため、画像編集の結果、各画像が相違してしまうことがある。
【０００５】
本発明の目的の一つは、走査画像に基づき表示される確認用画像への画像編集指示の結果、走査画像と確認用画像との双方に行われた画像編集により、走査画像と確認用画像とに相違点が生じたことを確認できる画像処理システム、画像処理装置及びプログラムを提供することにある。
【課題を解決するための手段】
【０００６】
上記目的を達成するために、請求項１に記載の発明は、光学的走査により取得した走査画像に基づいて、表示手段に表示させる確認用画像を生成する生成手段と、前記確認用画像を前記表示手段に表示した状態で、画像編集を指示する操作情報を受け付ける手段と、前記受け付けた操作情報に基づいて、前記確認用画像を編集する第１の画像編集手段と、前記受け付けた操作情報に基づいて、前記走査画像を編集する第２の画像編集手段と、前記第１の画像編集手段により編集された前記確認用画像と、前記第２の画像編集手段により編集された前記走査画像とを比較する比較手段と、前記比較手段による比較結果を前記表示手段に表示させる手段と、を含むことを特徴とする画像処理システムである。
【０００７】
また、請求項２に記載の発明は、請求項１に記載の画像処理システムにおいて、前記確認用画像を編集する画像編集命令に対応する、前記走査画像を編集する画像編集命令を特定する特定手段をさらに含み、前記第２の画像編集手段は、前記特定手段により特定された画像編集命令に基づいて前記走査画像を編集することを特徴とする。
【０００８】
また、請求項３に記載の発明は、請求項１又は２に記載の画像処理システムにおいて、前記比較手段による比較の結果、前記確認用画像と前記走査画像とに相違点が検出されたもののうち選択された画像についての再編集を実行することを特徴とする。
【０００９】
また、請求項４に記載の発明は、請求項１乃至３のいずれかに記載の画像処理システムにおいて、前記比較手段による比較の結果、前記確認用画像と前記走査画像とに相違点が検出されたもののうち選択された画像について記録媒体上に画像形成する画像形成手段をさらに含むことを特徴とする。
【００１０】
また、請求項５に記載の発明は、光学的走査により取得した走査画像に基づいて、表示手段に表示させる確認用画像を生成する生成手段と、前記確認用画像を前記表示手段に表示した状態で、画像編集を指示する操作情報を受け付ける手段と、前記受け付けた操作情報に基づいて編集された前記確認用画像と、前記受け付けた操作情報に基づいて編集された前記走査画像とを比較した比較結果を前記表示手段に表示させる手段と、を含むことを特徴とする画像処理装置である。
【００１１】
また、請求項６に記載の発明は、コンピュータを、光学的走査により取得した走査画像に基づいて、表示手段に表示させる確認用画像を生成する生成手段と、前記確認用画像を前記表示手段に表示した状態で、画像編集を指示する操作情報を受け付ける手段と、前記受け付けた操作情報に基づいて編集された前記確認用画像と、前記受け付けた操作情報に基づいて編集された前記走査画像とを比較した比較結果を前記表示手段に表示させる手段として機能させるためのプログラムである。
【発明の効果】
【００１２】
請求項１，５及び６に記載の発明によれば、走査画像に基づき表示される確認用画像への画像編集指示の結果、走査画像と確認用画像との双方に行われた画像編集により、走査画像と確認用画像とに相違点が生じたことを確認できる。
【００１３】
請求項２に記載の発明によれば、走査画像と確認用画像との形式が異なっていても走査画像と確認用画像とに相違点が生じたことを確認できる。
【００１４】
請求項３に記載の発明によれば、走査画像と確認用画像とに相違点が生じたもののうち選択したものについて編集をやり直すことができる。
【００１５】
請求項４に記載の発明によれば、走査画像と確認用画像とに相違点が生じたもののうち選択したものを印刷して確認できる。
【図面の簡単な説明】
【００１６】
【図１】本実施形態に係る画像処理システムのシステム構成図である。
【図２】画像処理システムの機能ブロック図である。
【図３】ＵＩ画面の一例を示す図である。
【図４】ユーザーに提示される情報の一例である。
【図５】プレビュー画像とスキャン画像との比較例である。
【図６】画像処理システムにおいて行われる処理のシーケンス図である。
【発明を実施するための形態】
【００１７】
以下、本発明を実施するための好適な実施の形態（以下、実施形態という）を、図面に従って説明する。
【００１８】
図１には、本実施形態に係る画像処理システム１のシステム構成図を示した。図１に示されるように、画像処理システム１は画像形成装置１０と画像管理装置５０を含み、画像形成装置１０と画像管理装置５０は相互にデータ通信を行うよう接続されている。
【００１９】
画像形成装置１０は、物理的構成として、制御部１２、記憶部１４、通信インターフェース１６、プリントエンジン１８、操作パネル２０、及びスキャナ２２を備える。
【００２０】
制御部１２は、ＣＰＵ（Central Processing Unit）を含み、記憶部１４に記憶されたプログラムを実行して画像形成装置１０の各部を制御するものである。なお、記憶部１４は半導体メモリや磁気ディスク装置等の記憶装置により実現されることとしてよく、記憶部１４には制御部１２により実行されるプログラムが記憶されるほか制御部１２の作業メモリとしても用いられる。通信インターフェース１６は、外部の装置とデータ通信を行うものであり、本実施形態では画像形成装置１０は通信インターフェース１６を介して画像管理装置５０と接続され、相互にデータ通信を行うこととする。
【００２１】
プリントエンジン１８は、制御部１２から入力される画像形成命令に従って、印刷媒体上に画像を形成するものである。例えば、プリントエンジン１８がレーザプリンタ方式により構成される場合には、プリントエンジン１８は感光体の帯電、露光、現像、転写、定着の各プロセスを経て印刷媒体（印刷用紙）上に画像を形成する。
【００２２】
操作パネル２０は、液晶ディスプレイ等の表示装置と、ボタン式やタッチパネル式等の入力装置とを備えた表示機能付き入力装置である。操作パネル２０は画像形成装置１０を操作するユーザーとの対話型インターフェースとして機能する。
【００２３】
スキャナ２２は、原稿台に置かれた紙文書等の走査対象物を光学的走査することにより、走査対象物の走査画像（スキャン画像）を得るものである。
【００２４】
画像管理装置５０は、物理的構成として、制御部５２、記憶部５４、及び通信インターフェース５６を備える。制御部５２は、ＣＰＵ（Central Processing Unit）を含み、記憶部５４に記憶されたプログラムを実行して、画像管理装置５０の各部を制御するものである。なお、記憶部５４は半導体メモリや磁気ディスク装置等の記憶装置により実現されることとしてよく、記憶部５４には制御部５２により実行されるプログラムが記憶されるほか制御部５２の作業メモリとしても用いられる。通信インターフェース５６は、外部の装置とデータ通信を行うものであり、本実施形態では画像管理装置５０は通信インターフェース５６を介して画像形成装置１０と接続され、相互にデータ通信を行うこととする。
【００２５】
図２には、画像処理システム１の機能ブロック図を示した。以下、画像処理システム１に含まれる画像形成装置１０と画像管理装置５０の各々に備えられた機能の詳細について順に説明する。
【００２６】
図２に示されるように、画像形成装置１０は、スキャン画像取得部３０、スキャン画像送信部３２、プレビュー画像生成部３４、表示部３６、操作情報取得部３８、プレビュー画像編集部４０、操作情報送信部４２、比較結果取得部４４、比較結果提示部４６、画像形成部４８、及びパラメータ設定部４９を含む。
【００２７】
スキャン画像取得部３０は、例えばスキャナ２２により実現されるものであり、スキャナ２２により光学的走査して得たスキャン画像を取得するものである。スキャン画像取得部３０は、スキャン画像を例えばビットマップ形式のデータとして取得することとしてよい。
【００２８】
スキャン画像送信部３２は、例えば通信インターフェース１６により実現されるものであり、スキャン画像取得部３０により取得されたスキャン画像を画像管理装置５０に送信するものである。
【００２９】
プレビュー画像生成部３４は、例えば制御部１２により実現されるものであり、スキャン画像取得部３０により取得されたスキャン画像に基づいて、操作パネル２０に含まれる表示装置に表示するプレビュー画像を生成するものである。本実施形態では、プレビュー画像生成部３４は、表示装置のディスプレイサイズ（縦及び横のピクセル数）や出力色数に応じて、スキャン画像を縮小、圧縮してプレビュー画像を生成することとしてよい。プレビュー画像は、スキャン画像と同じ画像形式であってもよいし、異なっていてもよい。なお、画像圧縮形式はＪＰＥＧ、ＧＩＦ等の各種の形式を用いることとしてよい。
【００３０】
表示部３６は、例えば操作パネル２０により実現されるものであり、各種のユーザーインターフェース画面（ＵＩ画面）を表示する他、プレビュー画像生成部３４により生成されたプレビュー画像を表示するものである。
【００３１】
図３には、表示部３６に表示されるＵＩ画面８０の一例を示した。図３に示されるように、ＵＩ画面８０には、プレビュー画像の表示領域８２、各種の画像編集ボタン８４、ページ確定ボタン８６、確定ボタン８８が含まれる。複数ページの紙文書をスキャンした場合には、各ページについてプレビュー画像が生成され、表示領域８２にはプレビュー画像の１ページ分が表示される。表示領域８２に表示されるプレビュー画像は、表示領域８２下部のボタンを操作することにより前後のページに変更される。
【００３２】
図３に示した例では、画像編集ボタン８４には「回転」、「拡大／縮小」、「ノイズ除去」、「傾き補正」が含まれる。そして、画像編集ボタン８４のうち選択されたボタンの画像編集が、表示領域８２に表示されているプレビュー画像に対して行われることとなる。ページ確定ボタン８６が選択されると、表示領域８２に表示されているプレビュー画像に対して行った画像編集が確定され、確定ボタン８８が選択されると、全てのプレビュー画像に対して行った画像編集が確定される。
【００３３】
操作情報取得部３８は、例えば操作パネル２０により実現されるものである。操作情報取得部３８は、例えば図３のＵＩ画面８０が表示されている際にユーザーからの入力を受け付けて、当該受け付けた入力に対応する操作情報（選択されたボタンに基づく命令）を取得するものである。
【００３４】
プレビュー画像編集部４０は、例えば制御部１２により実現されるものであり、操作情報取得部３８により取得された操作情報に基づいて、プレビュー画像を編集するものである。例えば、プレビュー画像編集部４０は、操作情報取得部３８により取得された操作情報が「ノイズ除去」である場合に、表示領域８２に表示されているプレビュー画像に対して、「ノイズ除去」の画像処理を適用して、プレビュー画像を編集する。表示領域８２には、プレビュー画像編集部４０により編集されたプレビュー画像が表示される。なお、プレビュー画像編集部４０は、画像編集ボタン８４が選択される毎にプレビュー画像を編集することとしてよい。
【００３５】
操作情報送信部４２は、例えば通信インターフェース１６により実現されるものであり、操作情報取得部３８により取得された操作情報を画像管理装置５０に送信するものである。本実施形態では、操作情報送信部４２は、図３に示される確定ボタン８８が選択されると、各プレビュー画像について選択された画像編集指示（画像編集命令）を、各プレビュー画像に関連づけて画像管理装置５０に送信する。なお、プレビュー画像に関連づける画像編集指示は、選択された順序の情報を含むこととしてよい。
【００３６】
比較結果取得部４４は、例えば通信インターフェース１６により実現されるものであり、プレビュー画像編集部４０により編集された各プレビュー画像と、操作情報送信部４２により送信された操作情報に基づいて画像管理装置５０により編集された各スキャン画像との比較結果を取得するものである。プレビュー画像とスキャン画像との比較処理については後述する。
【００３７】
比較結果提示部４６は、例えば制御部１２と操作パネル２０により実現されるものであり、あるページに係るプレビュー画像とスキャン画像の一致度が予め定められた条件を満足しない場合に、そのページをユーザーに提示するものである。
【００３８】
図４には、比較結果提示部４６によりユーザーに提示される情報の一例を示した。図４に示した例では、画像編集した後のプレビュー画像とスキャン画像とが一致しないページをリスト表示し、リスト表示されたページからページを選択した状態で「再編集」ボタンが選択されると、当該選択されたページに関する画像編集が再度実行される。
【００３９】
画像形成部４８は、例えばプリントエンジン１８により実現されるものであり、画像形成命令に基づいて印刷媒体上に画像を形成するものである。本実施形態では、例えば図４に示した画面において、ページが選択された状態で「印刷」ボタンが選択されると、当該選択されたページを印刷する処理が実行される。なお、選択されたページに係るプレビュー画像とスキャン画像との両方を印刷することとしてもよいし、どちらか一方を印刷するようにしてもよい。スキャン画像を印刷する際には、画像形成装置１０は画像管理装置５０からスキャン画像を取得することとしてよい。
【００４０】
パラメータ設定部４９は、例えば制御部１２と操作パネル２０により実現されるものであり、画像編集に係るパラメータを設定するものである。本実施形態では、パラメータ設定部４９は、画像編集処理の各々についてパラメータを設定することとしてよく、図示してはいないが「再編集」ボタンの選択後に各画像編集処理のパラメータを設定する画面を表示して各画像編集処理のパラメータを設定することとしてもよい。パラメータ設定部４９は、プレビュー画像の画像編集に係るパラメータと、スキャン画像の画像編集に係るパラメータの少なくとも一方を設定するようにしてよい。
【００４１】
次に、画像管理装置５０に備えられた機能について説明する。図２に示されるように、画像管理装置５０は、スキャン画像受信部６０、スキャン画像管理部６２、操作情報特定部６４、スキャン画像編集部６６、画像比較部６８、及び比較結果送信部７０を含む。
【００４２】
スキャン画像受信部６０は、例えば通信インターフェース５６により実現されるものであり、画像形成装置１０から送信されたスキャン画像を受信するものである。
【００４３】
スキャン画像管理部６２は、例えば制御部５２及び記憶部５４により実現されるものであり、スキャン画像受信部６０により受信したスキャン画像を記憶部５４に格納し管理するものである。
【００４４】
操作情報特定部６４は、例えば制御部５２により実現されるものであり、画像形成装置１０から送信されたプレビュー画像に対して行われた操作情報に基づいて、スキャン画像に対する操作情報を特定するものである。本実施形態では、画像形成装置１０から送信される操作情報では、プレビュー画像に画像編集命令が関連づけられており、操作情報特定部６４は、予め定められたプレビュー画像の画像編集命令とスキャン画像の画像編集命令とを対応づけたルックアップテーブルを参照して、プレビュー画像の画像編集命令に対応する、スキャン画像の画像編集命令を特定することとする。
【００４５】
スキャン画像編集部６６は、例えば制御部５２により実現されるものであり、操作情報特定部６４により特定された画像編集命令に基づいて、当該画像編集命令の適用対象であるスキャン画像を編集するものである。
【００４６】
画像比較部６８は、例えば制御部５２により実現されるものであり、プレビュー画像編集部４０により編集されたプレビュー画像と、スキャン画像編集部６６により編集されたスキャン画像とを比較するものである。以下、画像比較部６８によるプレビュー画像とスキャン画像との比較処理の具体例について説明する。
【００４７】
画像比較部６８は、プレビュー画像とスキャン画像との画像サイズを合わせる。画像サイズの変更は、画像サイズが小さい方の画像に他方を縮小して合わせることで行うこととしてよい。次に画像比較部６８は、画像サイズが合ったプレビュー画像とスキャン画像の画像形式が異なる場合には両者を合わせる。画像形式の変更は、一方の画像形式（例えばＪＰＥＧ）を他方の画像形式（例えばビットマップ）に合わせることで行うこととしてもよいし、両方を共通の画像形式に変換することで行うこととしてもよい。画像比較部６８は、画像サイズ及び画像形式が整合したプレビュー画像とスキャン画像とのデータを比較することにより、両者の一致度が予め定められた範囲内にあるか否か（例えば色値の異なる画素の数が予め定められた数以下であるか否か等）を判定する。なお、プレビュー画像とスキャン画像との比較はページ毎に行うこととしてよい。
【００４８】
画像比較部６８によるプレビュー画像とスキャン画像との比較は上記のものに限られるものではなく、プレビュー画像とスキャン画像とのそれぞれの画像特徴を比較することとしてもよい。画像特徴は例えば、各画像のエッジ特徴、レイアウト特徴、有意画素数等の各種の特徴の１つ又はそれらの組み合わせとして構成することとしてよい。
【００４９】
図５には、プレビュー画像とスキャン画像との比較例を示した。図５において（Ａ）の画像がプレビュー画像であり、（Ｂ）の画像がスキャン画像であるとする。このとき、プレビュー画像とスキャン画像について行った傾き補正により、プレビュー画像の上部のエッジが欠けてしまっている。こうした場合に、プレビュー画像とスキャン画像とのエッジ特徴や各画素値を比較することで、スキャン画像の上部のエッジが欠けてしまっているという両者の相違点が検出される。
【００５０】
比較結果送信部７０は、例えば通信インターフェース５６により実現されるものであり、画像比較部６８による比較結果を画像形成装置１０に送信するものである。比較結果は、例えば各ページについてプレビュー画像とスキャン画像が一致したか否かの情報を含むこととしてもよいし、さらに相違点があればその位置情報等を含むようにしてもよい。
【００５１】
次に、図６に示したシーケンス図を参照しながら、画像処理システム１において行われる処理の流れを説明する。
【００５２】
図６に示されるように、画像形成装置１０は原稿台に置かれた紙文書をスキャンしてスキャン画像を取得し（Ｓ１０１）、当該取得したスキャン画像に基づいて表示装置に表示させるプレビュー画像を生成する（Ｓ１０２）。画像形成装置１０は、上記取得したスキャン画像を画像管理装置５０に送信し（Ｓ１０３）、画像管理装置５０は画像形成装置１０から受信したスキャン画像を記憶して管理する（Ｓ１０４）。
【００５３】
画像形成装置１０は、上記生成したプレビュー画像を表示装置に表示し（Ｓ１０５）、ユーザーからの画像編集指示を受け付けて（Ｓ１０６）、受け付けた画像編集指示に応じてプレビュー画像を編集する（Ｓ１０７）。また、画像形成装置１０は、上記受け付けた画像編集指示と、編集したプレビュー画像を含むデータを画像管理装置５０に送信する（Ｓ１０８）。
【００５４】
画像管理装置５０は、画像形成装置１０から受信したデータに含まれる画像編集指示に基づいてスキャン画像を編集する画像編集命令を特定すると共に（Ｓ１０９）、当該特定した画像編集命令に基づいてスキャン画像を編集する（Ｓ１１０）。画像管理装置５０は、編集されたプレビュー画像とスキャン画像とを比較し（Ｓ１１１）、その比較結果を画像形成装置１０に送信する（Ｓ１１２）。画像形成装置１０は、画像管理装置５０から受信した比較結果を表示装置に表示する（Ｓ１１３）。
【００５５】
本実施形態に係る画像処理システム１では、スキャン画像の内容を確認するためのプレビュー画像（確認用画像）が画像形成装置１０に備えられた表示装置に表示され、ユーザーはこの表示装置に表示された確認用画像を見ながらプレビュー画像の編集を行い、その編集内容が元のスキャン画像（走査画像）にも適用される。この際に、スキャン画像とプレビュー画像とは形式が異なることがあるため、同等の編集を行った場合でも編集後の画像において相違点（ノイズが取れていなかったり、細かい線が消えてしまったりする等）が生じることがあるが、本実施形態に係る画像処理システム１では、編集後の形式が異なる画像同士を比較し、その比較結果がユーザーに提示されるようにしたことで、編集後の画像が意図しない状態となってしまうことが防止される。また、スキャン画像とプレビュー画像とに相違点が検知された場合に画像形成装置１０により画像を印刷することで、ＰＣを用いて確認する場合に比べて、実際に印刷された場合にどのようになっているのかの確認が容易となる。
【００５６】
本発明は上記の実施形態に限定されるものではない。例えば、上記の実施形態では画像処理システム１を画像形成装置１０と画像管理装置５０とを別体に構成しているが、両装置を一体に構成することとしてもよいのはもちろんである。
【符号の説明】
【００５７】
１  画像処理システム、１０  画像形成装置、１２  制御部、１４  記憶部、１６  通信インターフェース、１８  プリントエンジン、２０  操作パネル、２２  スキャナ、３０  スキャン画像取得部、３２  スキャン画像送信部、３４  プレビュー画像生成部、３６  表示部、３８  操作情報取得部、４０  プレビュー画像編集部、４２  操作情報送信部、４４  比較結果取得部、４６  比較結果提示部、４８  画像形成部、４９  パラメータ設定部、５０  画像管理装置、５２  制御部、５４  記憶部、５６  通信インターフェース、６０  スキャン画像受信部、６２  スキャン画像管理部、６４  操作情報特定部、６６  スキャン画像編集部、６８  画像比較部、７０  比較結果送信部、８０  ＵＩ画面、８２  表示領域、８４  画像編集ボタン、８６  ページ確定ボタン、８８  確定ボタン。
【図１】
2011193376.tif 000003
【図２】
2011193376.tif 000004
【図３】
2011193376.tif 000005
【図４】
2011193376.tif 000006
【図５】
2011193376.tif 000007
【図６】
2011193376.tif 000008